(57)【要約】【課題】吹き矢の用具を整理してコンパクトに収納することができる携帯収納ケース及びそれを用いた吹き矢用具携帯セットを提供する。【解決手段】シート状部材よりなる外装体１１を備えている。外装体１１の一面には、矢入れホルダー収納部１２が形成された第１領域１１Ａと、矢・矢抜き収納部１３が形成された第２領域１１Ｂと、筒立て・クリーナー収納部１４が形成された第３領域１１Ｃとが順に設けられている。外装体１１は、一面を内側にして、第１領域１１Ａ及び第３領域１１Ｃを第２領域１１Ｂに対向する方向に折り曲げ可能とされている。【選択図】図１
0003197039.tif 000002
【実用新案登録請求の範囲】
【請求項１】
吹き矢の用具を収納する携帯収納ケースであって、
シート状部材よりなる外装体を備え、
この外装体の一面には、第１領域と、第２領域と、第３領域とが順に設けられており、
前記第１領域には、矢入れホルダーを収納する矢入れホルダー収納部が形成され、
前記第２領域には、矢及び矢抜きを収納する矢・矢抜き収納部が形成され、
前記第３領域には、筒立て及びクリーナーを収納する筒立て・クリーナー収納部が形成され、
前記外装体は、前記一面を内側にして、前記第１領域及び前記第３領域を前記第２領域に対向する方向に折り曲げ可能とされた
ことを特徴とする携帯収納ケース。
【請求項２】
前記矢・矢抜き収納部に矢及び矢抜きを収納するための矢・矢抜きケースを備え、
この矢・矢抜きケースは、矢又は矢抜きの先端側を先にして複数本並べて入れることが可能であり、入れ口側から先端部に向かい幅及び厚みが狭くなるように形成されたケース本体を有し、
このケース本体の内部には、矢又は矢抜きを個別に分離して収納する仕切部が設けられ、
前記ケース本体の入れ口側には、入れ口を覆う蓋部が前記ケース本体に連続して設けられた
ことを特徴とする請求項１記載の携帯収納ケース。
【請求項３】
前記矢入れホルダー収納部は、第１ポケットと、この第１ポケットから離間した位置において、前記外装体との間に前記第１ポケットに向かい貫通した空間を有するように設けられた第１押さえ部とを有し、
前記矢・矢抜き収納部は、第２ポケットと、この第２ポケットから離間した位置において、前記外装体との間に前記第２ポケットに向かい貫通した空間を有するように設けられた第２押さえ部とを有し、
前記筒立て・クリーナー収納部は、第３ポケットと、この第３ポケットから離間した位置において、前記外装体との間に前記第３ポケットに向かい貫通した空間を有するように設けられた第３押さえ部とを有する
ことを特徴とする請求項１から請求項３のいずれか１に記載の携帯収納ケース。
【請求項４】
前記第２押さえ部及び前記第３押さえ部を間に介して前記第２ポケット及び前記第３ポケットと対向する位置に、一端部が前記外装体に固定して設けられ、他端部は、一端部から前記第２押さえ部又は前記第３押さえ部に向かって伸長され、収納物の一部を覆うことができるようにされたずれ止めカバーを備えたことを特徴とする請求項１から請求項３のいずれか１に記載の携帯収納ケース。
【請求項５】
請求項１から請求項４のいずれか１に記載の携帯収納ケースと、
この携帯収納ケースに収納される矢入れホルダーとを備え、
前記矢入れホルダーは、少なくとも一部に柔軟な布状材料又はシート状材料よりなる変形部が設けられた側面部、及び、この側面部の一方の端部を閉鎖する底面部を有する矢入れホルダー本体と、板状部材よりなり、前記矢入れホルダー本体の内部に湾曲して着脱可能に挿入されることにより、前記変形部を所定の形状に保持する形造り芯材とを有し、
前記矢入れホルダー本体は、前記矢入れホルダー収納部に収納され、
前記形造り芯材は、前記矢入れホルダーから分離して前記矢・矢抜き収納部に収納される
ことを特徴とする吹き矢用具携帯セット。
【請求項６】
請求項１から請求項４のいずれか１に記載の携帯収納ケースと、
この携帯収納ケースに収納される筒立てと、
前記携帯収納ケースに収納されるクリーナーとを備え、
前記筒立ては、三脚部と、この三脚部に対して着脱可能とされ、吹き筒を立てるための筒立て支柱と、前記三脚部に対して着脱可能とされ、高さ方向に伸縮可能であり、先端部に引掛け部材が設けられた引掛け支柱とを有し、
前記三脚部は、一方向に伸長された板状の第１脚、第２脚、及び、第３脚を順に重ね、これらの一端側において回動可能に連結するか、又は、これらの一端側において連結可能とされており、
前記三脚部、筒立て支柱、及び、引掛け支柱は、分離して、前記筒立て・クリーナー収納部に収納される
ことを特徴とする吹き矢用具携帯セット。
【考案の詳細な説明】
【技術分野】
【０００１】
本考案は、吹き矢の用具を収納する携帯収納ケース及びそれを用いた吹き矢用具携帯セットに関する。
【背景技術】
【０００２】
近年、スポーツ又はレクリエーションとして吹き矢が手軽に楽しまれている。吹き矢は、吹き筒の中に矢を入れ、吹き筒の一方から息を吹き込み、その空気圧により矢を飛ばすものである。この吹矢競技を行う際には、矢、吹き筒及び的に加えて、矢を入れる矢入れホルダー、的に刺さった矢を抜くための矢抜き、吹き筒を立てる筒立て、及び、吹き筒の内側を拭くクリーナー等の各種用具を用いる。しかし、これらの各種用具を個別に持ち運んだり保管したりするのは煩雑で面倒であるという問題があった。そこで、これらを整理してコンパクトに収納して持ち運びし、又は、保管することができる携帯収納ケースが望まれていた。
【先行技術文献】
【特許文献】
【０００３】
【特許文献１】特開２０００−１４６４８８号公報
【考案の概要】
【考案が解決しようとする課題】
【０００４】
本考案は、このような問題に基づきなされたものであり、吹き矢の用具を整理してコンパクトに収納することができる携帯収納ケース及びそれを用いた吹き矢用具携帯セットを提供することを目的とする。
【０００５】
なお、特許文献１には、的、吹き筒、矢、矢入れホルダー、及び、クリーナーをセットにして包装用箱に収めた吹き矢セットが記載されている。しかし、特許文献１に記載の吹き矢セットは持ち運びには不便であり、本願発明とは具体的な構成が異なっている。
【課題を解決するための手段】
【０００６】
本考案の携帯収納ケースは、吹き矢の用具を収納するものであって、シート状部材よりなる外装体を備え、この外装体の一面には、第１領域と、第２領域と、第３領域とが順に設けられており、第１領域には、矢入れホルダーを収納する矢入れホルダー収納部が形成され、第２領域には、矢及び矢抜きを収納する矢・矢抜き収納部が形成され、第３領域には、筒立て及びクリーナーを収納する筒立て・クリーナー収納部が形成され、外装体は、一面を内側にして、第１領域及び第３領域を第２領域に対向する方向に折り曲げ可能とされたものである。
【０００７】
本考案の吹き矢用具携帯セットは、本考案の携帯収納ケースと、この携帯収納ケースに収納される矢入れホルダーとを備え、矢入れホルダーは、少なくとも一部に柔軟な布状材料又はシート状材料よりなる変形部が設けられた側面部、及び、この側面部の一方の端部を閉鎖する底面部を有する矢入れホルダー本体と、板状部材よりなり、矢入れホルダー本体の内部に湾曲して着脱可能に挿入されることにより、変形部を所定の形状に保持する形造り芯材とを有し、矢入れホルダー本体は、矢入れホルダー収納部に収納され、形造り芯材は、矢入れホルダーから分離して矢・矢抜き収納部に収納されるものである。
【０００８】
本考案の他の吹き矢用具携帯セットは、本考案の携帯収納ケースと、この携帯収納ケースに収納される筒立てと、携帯収納ケースに収納されるクリーナーとを備え、筒立ては、三脚部と、この三脚部に対して着脱可能とされ、吹き筒を立てるための筒立て支柱と、三脚部に対して着脱可能とされ、高さ方向に伸縮可能であり、先端部に引掛け部材が設けられた引掛け支柱とを有し、三脚部は、一方向に伸長された板状の第１脚、第２脚、及び、第３脚を順に重ね、これらの一端側において回動可能に連結するか、又は、これらの一端側において連結可能とされており、三脚部、筒立て支柱、及び、引掛け支柱は、分離して、筒立て・クリーナー収納部に収納されるものである。
【考案の効果】
【０００９】
本考案によれば、外装体の一面に、矢入れホルダーを収納する第１領域と、矢及び矢抜きを収納する第２領域と、筒立て及びクリーナーを収納する第３領域とを順に設け、一面を内側にして、第１領域及び第３領域を第２領域に対向する方向に折り曲げ可能とするようにしたので、矢入れホルダー、矢、矢抜き、筒立て、及び、クリーナーを整理してコンパクトに収納して、便利に持ち運びし、又は、保管することができる。
【００１０】
特に、矢・矢抜き収納部に矢及び矢抜きを収納するための矢・矢抜きケースを備えるようにすれば、複数の矢及び矢抜きがばらばらにならずに、整理して並べて収納することができる。
【００１１】
また、矢入れホルダー収納部に、第１ポケットと第１押さえ部とを設け、矢・矢抜き収納部に、第２ポケットと第２押さえ部とを設け、筒立て・クリーナー収納部に、第３ポケットと第３押さえ部とを設けるようにすれば、収納物を容易に収納しかつ取り出すことができる。
【００１２】
更に、第２押さえ部及び第３押さえ部を間に介して第２ポケット及び第３ポケットと対向する位置に、収納物の一部を覆うようにずれ止めカバーを設けるようにすれば、収納物が矢・矢抜き収納部又は筒立て・クリーナー収納部からずれて落下してしまうことを防止することができる。
【００１３】
加えて、矢入れホルダー本体の側面部の少なくとも一部に変形部を設け、形造り芯材を湾曲して着脱可能に挿入することにより、変形部を所定の形状に保持するようにした矢入れホルダーを備えるようにすれば、矢入れホルダー本体と形造り芯材とを分離して携帯収納ケースに収納することができる。よって、コンパクトに収納して、便利に持ち運びし、又は、保管することができる。
【００１４】
更にまた、互いに分離可能な三脚部と、筒立て支柱と、引掛け支柱とを有する筒立てを備えるようにすれば、これらを分離し、整理して携帯収納ケースに収納することができる。よって、整理してコンパクトに収納して、便利に持ち運びし、又は、保管することができる。
【図面の簡単な説明】
【００１５】
【図１】本考案の一実施の形態に係る吹き矢用具携帯セット１及び携帯収納ケース１０の構成を展開して表す図である。
【図２】図１に示した携帯収納ケース１０から収納物を取り出した状態を展開して表す図である。
【図３】図１に示した吹き矢用具携帯セット１及び携帯収納ケース１０の構成を展開して表す他面の図である。
【図４】図１に示した吹き矢用具携帯セット１及び携帯収納ケース１０を折り曲げた状態を表す図である。
【図５】図１に示した吹き矢用具携帯セット１及び携帯収納ケース１０に含まれる矢・矢抜きケース１６の構成を表す図である。
【図６】図１に示した吹き矢用具携帯セット１に含まれる矢入れホルダー２０の構成を表す図である。
【図７】図１に示した吹き矢用具携帯セット１に含まれる筒立て３０の構成を表す図である。
【考案を実施するための形態】
【００１６】
以下、本考案の実施の形態について、図面を参照して詳細に説明する。
【００１７】
図１は、本考案の一実施の形態に係る吹き矢用具携帯セット１及び携帯収納ケース１０を展開して一面側から見た構成を表すものである。図２は、図１に示した携帯収納ケース１０から収納物を取り出した状態を展開して一面側から見た構成を表すものである。図３は、図１に示した吹き矢用具携帯セット１及び携帯収納ケース１０を展開して他面側から見た構成を表すものである。図４は、図１に示した吹き矢用具携帯セット１及び携帯収納ケース１０を折り曲げた状態を表すものである。図５は、図１に示した吹き矢用具携帯セット１及び携帯収納ケース１０に含まれる矢・矢抜きケース１７の構成を取り出して表すものであり、（Ａ）は全体構成を表し、（Ｂ）は断面構成を表すものである。
【００１８】
この吹き矢用具携帯セット１は、例えば、吹き矢の用具を収納する携帯収納ケース１０と、この携帯収納ケース１０に収納される矢入れホルダー２０、筒立て３０、及び、クリーナー４０とを備えている。
【００１９】
携帯収納ケース１０は、シート状部材よりなる外装体１１を備えている。外装体１１は、例えば、布などの柔軟な材料より構成されることが好ましい。外装体１１を構成する材料としては、例えば、キルティング生地の周囲をパイピングしたものが好ましく挙げられる。柔らかくてある程度の厚み及びクッション性があるので、取扱いが容易で、かつ、収納物を収納して保持しやすいからである。外装体１１は、例えば、略矩形状に形成されており、角が丸められていてもよい。
【００２０】
外装体１１の一面には、第１領域１１Ａと、第２領域１１Ｂと、第３領域１１Ｃとが一方向に順に設けられている。第１領域１１Ａには、例えば、矢入れホルダー２０を収納する矢入れホルダー収納部１２が形成され、第２領域１１Ｂには、例えば、矢及び矢抜きを収納する矢・矢抜き収納部１３が形成され、第３領域１１Ｃには、例えば、筒立て３０及びクリーナー４０を収納する筒立て・クリーナー収納部１４が形成されている。
【００２１】
外装体１１は、一面を内側にして、第１領域１１Ａ及び第３領域１１Ｃを第２領域１１Ｂに対向する方向に折り曲げ可能とされている。また、外装体１１には、例えば、外装体１１の一面を内側にして折り曲げた状態に固定するための固定手段１５が設けられていることが好ましい。固定手段１５としては、例えば、面状ファスナー、ファスナー、ボタン、フック、又は、紐が挙げられる。図１〜図４では、例えば、第３領域１１Ｃの第２領域１１Ｂと反対側の端部領域１１Ｄ、及び、外装体１１を折り曲げた時に端部領域１１Ｄと対向する他面の対向領域１１Ｅに、固定手段１５として面状ファスナーを設けた場合を示している。なお、外装体１１の他面には、名札を入れる名札入れ１６が設けられていることが好ましい。
【００２２】
矢入れホルダー収納部１２は、例えば、第１ポケット１２Ａと、この第１ポケット１２Ａから離間した位置において、外装体１１との間に第１ポケット１２Ａに向かい貫通した空間を有するように設けられた第１押さえ部１２Ｂとを有していることが好ましい。矢・矢抜き収納部１３は、例えば、第２ポケット１３Ａと、この第２ポケット１３Ａから離間した位置において、外装体１１との間に第２ポケット１３Ａに向かい貫通した空間を有するように設けられた第２押さえ部１３Ｂとを有していることが好ましい。筒立て・クリーナー収納部１４は、第３ポケット１４Ａと、この第３ポケット１４Ａから離間した位置において、外装体１１との間に第３ポケット１４Ａに向かい貫通した空間を有するように設けられた第３押さえ部１４Ｂとを有していることが好ましい。
【００２３】
第１押さえ部１２Ｂ、第２押さえ部１３Ｂ、及び、第３押さえ部１４Ｂは、例えば、紐状部材よりなり、長さ方向の両端部を外装体１１に対して配設することにより形成されている。これら第１押さえ部１２Ｂ、第２押さえ部１３Ｂ、及び、第３押さえ部１４Ｂは、例えば、ゴムなどの伸縮性を有する材料により構成されることが好ましい。収納物の出し入れが容易であり、かつ、収納時に収納物をしっかりと押さえることができるからである。
【００２４】
また、携帯収納ケース１０は、例えば、矢・矢抜き収納部１３に矢及び矢抜きを収納するための矢・矢抜きケース１７を備えていることが好ましい。複数の矢及び矢抜きがばらばらにならずに、整理して並べて収納することができるからである。矢・矢抜きケース１７は、例えば、矢又は矢抜きの先端側を先にして複数本並べて入れることが可能とされたケース本体１７Ａを有している。ケース本体１７Ａは、例えば、一端部に矢又は矢抜きを入れる入れ口１７Ｂが設けられており、入れ口１７Ｂの側から先端部に向かい幅及び厚みが狭くなるように形成されている。
【００２５】
このケース本体１７Ａの内部には、例えば、矢又は矢抜きを個別に分離して収納する仕切部１７Ｃが設けられていることが好ましい。なお、図５（Ｂ）は仕切部１７において切断した断面構成を表している。仕切部１７Ｃは、矢又は矢抜きを個別に分離することができればどのような構成であってもよいが、例えば、板状部材に矢又は矢抜きを貫通して挿入可能な孔１７Ｄを複数並べて設けた構造とすることが好ましい。矢又は矢抜きを安定して分離して保持することができるからである。仕切部１７Ｃは、例えば、ケース本体１７Ａの中央部よりも入れ口１７Ｂの側において、矢又は矢抜きの挿入方向に対して垂直方向に設けられていることが好ましい。
【００２６】
ケース本体１７Ａの入れ口１７Ｂの側には、例えば、入れ口１７Ｂを覆う蓋部１７Ｅがケース本体１７Ａに連続して設けられていることが好ましい。なお、ケース本体１７Ａ及び蓋部１７Ｅは、例えば、プラスチックにより構成されていることが好ましい。軽量であり、かつ、矢を外圧から保護することができるからである。
【００２７】
更に、携帯収納ケース１０は、例えば、第２押さえ部１３Ｂ及び第３押さえ部１４Ｂを間に介して第２ポケット１３Ａ及び第３ポケット１４Ａと対向する位置に、収納物の一部を覆うずれ止めカバー１８を備えていることが好ましい。ずれ止めカバー１８は、例えば、一端部が外装体１１に固定して設けられ、他端部は、一端部から第２押さえ部１３Ｂ又は第３押さえ部１４Ｂに向かって伸長され、固定されていないことが好ましい。矢・矢抜き収納部１３又は筒立て・クリーナー収納部１４に収納物を収納した後、第２ポケット１３Ａ又は第３ポケット１４Ａの反対側において、ずれ止めカバー１８により収納物の一部を上から覆うことにより、収納物がずれて落下することを防止することができるからである。
【００２８】
図６は、図１に示した吹き矢用具携帯セット１に含まれる矢入れホルダー２０の構成を表すものであり、（Ａ）は全体構成を表し、（Ｂ）は（Ａ）に示した一部を取り出して表すものである。矢入れホルダー２０は、矢を入れるためのものであり、例えば、矢を入れるための矢入れホルダー本体２１と、この矢入れホルダー本体２１の内部に着脱可能に挿入される形造り芯材２２と、矢入れホルダー本体２１に着脱可能に取り付けられる紐状部材２３とを有していることが好ましい。
【００２９】
矢入れホルダー本体２１は、例えば、側面部２１Ａと、側面部２１Ａの一方の端部を閉鎖する底面部２１Ｂとを有している。側面部２１Ａは、少なくとも一部に、柔軟な布状材料又はシート状材料よりなる変形部を有していることが好ましく、例えば、背面部２１Ｃと、変形部としての前面部２１Ｄとを有し、前面部２１Ｄは、背面部２１Ｃよりも広い面積を有するように構成されていることが好ましい。背面部２１Ｃ及び底面部２１Ｄは、例えば、プラスチック等よりなる芯材を布状材料又はシート状材料により覆った部材により構成することが好ましい。形造り芯材２２は、例えば、プラスチック等よりなる板状部材により構成され、矢入れホルダー本体２１の内部に湾曲して着脱可能に挿入することにより、変形部を所定の形状に保持するものである。
【００３０】
矢入れホルダー２０は、携帯収納ケース１０に収納する際には、例えば、矢入れホルダー本体２１から形造り芯材２２を抜いて分離し、矢入れホルダー本体２１は、矢入れホルダー収納部１２に収納され、形造り芯材２２は、矢・矢抜きケース１７に重ねて矢・矢抜き収納部１３に収納される。
【００３１】
図７は、図１に示した吹き矢用具携帯セット１に含まれる筒立て３０の構成を表すものである。筒立て３０は、吹き筒を立てるものであり、例えば、三脚部３１と、この三脚部３１に対して着脱可能とされ、吹き筒を立てるための筒立て支柱３２と、三脚部３１に対して着脱可能とされ、高さ方向に伸縮可能であり、先端部に引掛け部材が設けられた引掛け支柱３３とを有している。この引掛け支柱３３は、例えば、吹き筒の内側を拭くクリーナー４０を引掛けるためのものである。三脚部３１は、例えば、一方向に伸長された板状の第１脚３１Ａ、第２脚３１Ｂ、及び、第３脚３１Ｃを順に重ね、これらの一端側において回動可能に互いに連結されているか、又は、これらの一端側において連結可能とされている。
【００３２】
筒立て３０は、携帯収納ケース１０に収納する際には、例えば、三脚部３１と、筒立て支柱３２と、引掛け支柱３３とに分離して、三脚部３１は、第１脚３１Ａ、第２脚３１Ｂ及び第３脚３１Ｃを重ね合わせ、引掛け支柱３３は縮めて、それぞれ筒立て・クリーナー収納部１４に収納される。
【００３３】
この吹き矢用具携帯セット１及び携帯収納ケース１０は、例えば、次のようにして用いることができる。まず、例えば、矢及び矢抜きを矢・矢抜きケース１７に入れ、この矢・矢抜きケース１７を携帯収納ケース１０の矢・矢抜き収納部１３に収納する。次いで、例えば、矢入れホルダー２０を矢入れホルダー本体２１と形造り芯材２２とに分離し、矢入れホルダー本体２１は携帯収納ケース１０の矢入れホルダー収納部１２に収納し、形造り芯材２２は、矢・矢抜きケース１７に重ねて矢・矢抜き収納部１３に収納する。
【００３４】
続いて、例えば、筒立て３０を三脚部３１と、筒立て支柱３２と、引掛け支柱３３とに分離して、三脚部３１は、第１脚３１Ａ、第２脚３１Ｂ及び第３脚３１Ｃを重ね合わせ、引掛け支柱３３は縮めて、それぞれ筒立て・クリーナー収納部１４に収納する。次に、例えば、クリーナー４０を筒立て・クリーナー収納部１４に収納する。また、例えば、調整用ドライバー等の他の用具を筒立て・クリーナー収納部１４に収納するようにしてもよい。そののち、外装体１１の一面を内側にして、第１領域１１Ａ及び第３領域１１Ｃを第２領域１１Ｂに対向する方向に折り曲げ、固定手段１５により固定する。
【００３５】
このように本実施の形態によれば、外装体１１の一面に、矢入れホルダー２０を収納する第１領域１１Ａと、矢及び矢抜きを収納する第２領域１１Ｂと、筒立て３０及びクリーナー４０を収納する第３領域１１Ｃとを順に設け、一面を内側にして、第１領域１１Ａ及び第３領域１１Ｃを第２領域１１Ｂに対向する方向に折り曲げ可能とするようにしたので、矢入れホルダー２０、矢、矢抜き、筒立て３０、及び、クリーナー４０を整理してコンパクトに収納して、便利に持ち運びし、又は、保管することができる。
【００３６】
特に、矢・矢抜き収納部１３に矢及び矢抜きを収納するための矢・矢抜きケース１７を備えるようにすれば、複数の矢及び矢抜きがばらばらにならずに、整理して並べて収納することができる。
【００３７】
また、矢入れホルダー収納部１２に、第１ポケット１２Ａと第１押さえ部と１２Ｂを設け、矢・矢抜き収納部１３に、第２ポケット１３Ａと第２押さえ部１３Ｂとを設け、筒立て・クリーナー収納部１４に、第３ポケット１４Ａと第３押さえ部１４Ｂとを設けるようにすれば、収納物を容易に収納しかつ取り出すことができる。
【００３８】
更に、第２押さえ部１３Ｂ及び第３押さえ部１４Ｂを間に介して第２ポケット１３Ａ及び第３ポケット１４Ａと対向する位置に、収納物の一部を覆うようにずれ止めカバー１８を設けるようにすれば、収納物が矢・矢抜き収納部１４又は筒立て・クリーナー収納部１４からずれて落下してしまうことを防止することができる。
【００３９】
加えて、矢入れホルダー本体２１の側面部２１Ａの少なくとも一部に変形部を設け、形造り芯材２２を湾曲して着脱可能に挿入することにより、変形部を所定の形状に保持するようにした矢入れホルダー２０を備えるようにすれば、矢入れホルダー本体２１と形造り芯材２２とを分離して携帯収納ケース１０に収納することができる。よって、コンパクトに収納して、便利に持ち運びし、又は、保管することができる。
【００４０】
更にまた、互いに分離可能な三脚部３１と、筒立て支柱３２と、引掛け支柱３３とを有する筒立て３０を備えるようにすれば、これらを分離し、整理して携帯収納ケース１０に収納することができる。よって、整理してコンパクトに収納して、便利に持ち運びし、又は、保管することができる。
【００４１】
以上、各実施の形態を挙げて本考案を説明したが、本考案は上記各実施の形態に限定されるものではなく、種々変形可能である。例えば、上記各実施の形態では、各構成要素について具体的に説明したが、全ての構成要素を備えていなくてもよく、また、他の構成要素を備えていてもよい。
【符号の説明】
【００４２】
１…吹き矢用具携帯セット、１０…携帯収納ケース、１１…外装体、１１Ａ…第１領域、１１Ｂ…第２領域、１１Ｃ…第３領域、１１Ｄ…端部領域、１１Ｅ…対向領域、１２…矢入れホルダー収納部、１２Ａ…第１ポケット、１２Ｂ…第１押さえ部、１３…矢・矢抜き収納部、１３Ａ…第２ポケット、１３Ｂ…第２押さえ部、１４…筒立て・クリーナー収納部、１４Ａ…第３ポケット、１４Ｂ…第３押さえ部、１５…固定手段、１６…名札入れ、１７…矢・矢抜きケース、１７Ａ…ケース本体、１７Ｂ…入れ口、１７Ｃ…仕切部、１７Ｄ…孔、１７Ｅ…蓋部、１８…ずれ止めカバー、２０…矢入れホルダー、２１…矢入れホルダー本体、２１Ａ…側面部、２１Ｂ…底面部、２１Ｃ…背面部、２１Ｄ…前面部、２２…形造り芯材、２３…紐状部材、３０…筒立て、３１…三脚部、３１Ａ…第１脚、３１Ｂ…第２脚、３１Ｃ…第３脚、３２…筒立て支柱、３３…引掛け支柱３３、４０…クリーナー
【図１】
0003197039.tif 000003
【図２】
0003197039.tif 000004
【図３】
0003197039.tif 000005
【図４】
0003197039.tif 000006
【図５】
0003197039.tif 000007
【図６】
0003197039.tif 000008
【図７】
0003197039.tif 000009